(57)【要約】【課題】肉眼で見た感覚に近い動画が得られるカメラ１を提供する。【解決手段】被写体の明るさを検出する検出部２２と、被写体の明るさに応じて、露出条件を制御する条件制御部３１と、被写体を所定のフレームレートで撮影し、複数の画像から構成された動画を出力する撮像部２１と、それぞれの画像の露出条件を記憶する条件記憶部３２と、条件記憶部３２に記憶された、それぞれの画像の露出条件にもとづいて、明るかった被写体の画像をより明るく、暗かった被写体の画像をより暗くする、明るさ補正処理を行う補正部３３と、を具備するカメラ１。【選択図】図１
2011249871.tif 000002
【特許請求の範囲】
【請求項１】
被写体の明るさを検出する検出手段と、
前記検出手段が検出した前記被写体の明るさに応じて、露出条件を制御する条件制御手段と、
前記条件制御手段の制御のもと、前記被写体を所定のフレームレートで撮影し、複数の画像から構成された動画を出力する撮影手段と、
それぞれの前記画像の前記露出条件を記憶する条件記憶手段と、
前記条件記憶手段に記憶された、それぞれの前記画像の前記露出条件にもとづいて、明るかった前記被写体の画像をより明るく、暗かった前記被写体の画像をより暗くする、明るさ補正処理を行う補正手段と、を具備することを特徴とする撮影装置。
【請求項２】
前記補正手段が、前記動画を構成する前記複数の画像の中で前記被写体が最も明るかったときの画像の明るさを、所定の最高明るさに補正することを特徴とする請求項１に記載の撮影装置。
【請求項３】
タッチパネルを有し、前記撮影手段が撮影する画像を表示する表示手段と、
前記表示手段に表示された前記被写体の画像をもとに、特定の被写体を指定する被写体指定手段と、を具備し、
前記検出手段が、前記被写体指定手段を介して使用者により指定される前記特定の被写体の明るさを検出することを特徴とする請求項１または請求項２に記載の撮影装置。
【請求項４】
前記表示手段に表示された前記被写体の画像から、前記特定の被写体の画像を認識する認識手段を、具備し、
前記検出手段が、前記認識手段の結果にもとづいて、前記特定の被写体の明るさを検出することを特徴とする請求項３に記載の撮影装置。
【請求項５】
前記検出手段が、赤色光、緑色光、および青色光の明るさを別々に検出することを特徴とする請求項１から請求項４のいずれか１項に記載の撮影装置。
【発明の詳細な説明】
【技術分野】
【０００１】
本発明は、肉眼で見た感覚により近い動画が得られる撮影装置に関する。
【背景技術】
【０００２】
近年のデジタルカメラには、様々な撮影条件を自動的に制御する機能に加えて動画撮影機能が備えられている。しかし、自動制御により撮影された画像が、撮影者の意図通りの画像になるとは限らない。この一つの原因は、銀塩フィルムのダイナミックレンジに比べ、ＣＣＤ等の固体撮像素子のダイナミックレンジ、すなわち適正露出範囲が極めて狭いことである、さらに、動画撮影中に被写体が明るくなったり暗くなったりした場合には、明るさ変化にかかわらず一定の明るさの映像が得られるように自動制御を行うため、肉眼で見た感覚とは異なる不自然な動画が得られることがあった。
【０００３】
特許第２７６５６４２号明細書には、自動制御条件を被写体の明るさ変化に対して、最適補正量よりも小さい補正量で補正することにより、明るい被写体は比較的明るく、暗い被写体は比較的暗く撮影するビデオカメラ用露出制御装置が開示されている。
【０００４】
しかし、撮影開始から撮影終了まのでの間の明るさ変化は、撮影毎に異なるため、撮影中に補正を行ったのでは動画全体にわたって肉眼で見た感覚を得ることは容易ではないことがあった。
【先行技術文献】
【特許文献】
【０００５】
【特許文献１】特許第２７６５６４２号明細書
【発明の概要】
【発明が解決しようとする課題】
【０００６】
本発明は、肉眼で見た感覚に近い動画が得られる撮影装置を提供することを目的とする。
【課題を解決するための手段】
【０００７】
前記目的を達成すべく、本発明の実施形態の撮影装置は、被写体の明るさを検出する検出手段と、前記検出手段が検出した前記被写体の明るさに応じて、露出条件を制御する条件制御手段と、前記条件制御手段の制御のもと、前記被写体を所定のフレームレートで撮影し、複数の画像から構成された動画を出力する撮影手段と、それぞれの前記画像の前記露出条件を記憶する条件記憶手段と、前記条件記憶手段に記憶された、それぞれの前記画像の前記露出条件にもとづいて、明るかった前記被写体の画像をより明るく、暗かった前記被写体の画像をより暗くする、明るさ補正処理を行う補正手段と、を具備することを特徴とする。
【発明の効果】
【０００８】
本発明によれば、肉眼で見た感覚に近い動画が得られる撮影装置を提供することができる。
【図面の簡単な説明】
【０００９】
【図１】第１実施形態のカメラの構成図である。
【図２】第１実施形態のカメラの動作の流れを説明するためのフローチャートである。
【図３】第１実施形態のカメラの条件制御部の動作を説明するための説明図であり、図３（Ａ）〜図３（Ｃ）は表示画面を、図３（Ｄ）は被写体の明るさ分布を、図３（Ｅ）は画像信号の強度分布を示している。
【図４】第１実施形態のカメラの補正部の動作を説明するための説明図であり、図４（Ａ）は画像信号の強度分布を示しており、図４（Ｂ）は補正後の画像信号の強度分布を示している。
【図５】動画撮影中の被写体の明るさ変化を説明するための図である。
【図６】第２実施形態のカメラの構成図である。
【図７】第２実施形態のカメラにおける特定の被写体を指定する状態を説明するための説明図である。
【図８】第２実施形態のカメラにおける動画撮影の状態を説明するための説明図である。
【図９】第２実施形態のカメラにおける明るさ補正処理を説明するための説明図である。
【発明を実施するための形態】
【００１０】
＜第１実施形態＞
以下、第１実施形態の撮影装置である動画撮影可能なカメラ１について説明する。図１に示すように、カメラ１は、交換レンズ１０とボディ２０とを有する。カメラ１としては、レンズ交換式に限られるものではないが、以下の説明はカメラ１を例に説明する。なお、カメラ１の交換レンズ１０は汎用品であるため、簡単に説明する。
【００１１】
交換レンズ１０は、レンズ１１と、操作部１２と、駆動部１３と、位置検出部１４と、制御部１５と、通信部１６と、を具備する。レンズ１１は複数の光学部材／絞り部１１Ａ等からなる例えばズームレンズである。使用者の操作は操作部１２を介して制御部１５に伝送され、駆動部１３はレンズ１１の絞り値（Ｆ値）、焦点、および画角（ズーム状態）等を駆動する。レンズ１１のズーム状態、合焦状態、および絞り状態は、位置検出部１４によって検出される。レンズ１１の状態等は通信部１６を介してボディ２０に送信される。なお、カメラ１は図示したレンズ１０以外の交換レンズも装着可能であり、ズームレンズでないレンズが装着された場合には、図示しないピントリング等が操作部１２となる。
【００１２】
ボディ２０は、撮影手段である撮像部２１と、検出手段である検出部２２と、条件制御手段である条件制御部３１と、撮影した画像を一時的に記憶する一時記録部２３Ａと、条件記憶手段である条件記憶部３２と、補正手段である補正部３３と、認識手段である認識部３４と、ＡＧＣ（オートゲインコントロール）制御部３５と、記憶手段である記録部２３と、表示手段である表示部２８と、入力手段であるタッチパネル２９および操作部２６と、時計２５と、通信部２４と、を有する。
【００１３】
なお、ボディ２０の各構成要素は、それぞれ独立したハードウエアではなく、例えば、条件制御部３１等の構成要素は、図示しないＲＯＭ等の記憶部または記憶媒体に記憶されたプログラムがＣＰＵに読み込まれて、それぞれの構成要素の機能を実行するものであってもよい。すなわち、ＣＰＵが制御部３０を構成し、制御部３０が、その機能としてそれぞれの構成要素の機能を有していてもよい。
【００１４】
撮像部２１は、レンズ１１を介して被写体を撮影する固体撮像素子であるＣＣＤ２１Ａと、撮像信号を処理し、画像信号を出力する撮像信号処理部２１Ｂと、を有する。ＣＣＤ２１Ａは、赤（Ｒ）、緑（Ｇ）および青（Ｂ）の３色の光を、それぞれ異なる素子で検出することでカラーの撮像信号を出力する。固体撮像素子としてはＣＯＭＳ撮像素子等であってもよい。撮像部２１は撮影を所定のフレームレートで繰り返し行うことにより、複数の画像から構成された動画を出力する。なお、フィルムのＩＳＯ感度に相当する撮像感度は、ＣＣＤ２１Ａの仕様および撮像信号処理部２１Ｂによる撮像信号の増幅率等により決定される。撮像部２１が出力した画像は一時的に一時記録部２３Ａに記憶される。
【００１５】
検出部２２は、被写体の明るさを検出、すなわち測光する。なお、測光する光は白色光が一般的であるが、後述するように、赤（Ｒ）、緑（Ｇ）および青（Ｂ）の３色の光を別々に測光してもよい。
【００１６】
条件制御部３１は、検出部２２が検出した被写体の明るさに応じて、露出条件を制御する。例えば、条件制御部３１は、被写体の明るさに応じた露出補正信号を、駆動部１３およびＡＧＣ制御部３５に出力し、露出量がＣＣＤ２１Ａのダイナミックレンジ範囲に収まるように制御する。すなわち、条件制御部３１は、露出補正信号にもとづいて、駆動部１３が行う絞り部１１Ａの開閉動作を制御したり、ＡＧＣ制御部３５が行う撮像信号増幅処理の増幅率を制御したり、露出時間（シャッタースピード）を制御したりする。
【００１７】
露出補正信号は、例えば、白光光の光量の計測値にもとづく信号であり、例えば、Ｅｖ（Exposure Value）値と撮像感度との組み合わせである。ここで、ＩＳＯ１００相当の撮像感度で、シャッタースピード１／２５０秒／Ｆ値５．６の場合、Ｅｖ値＝１３が適正露出と仮定する。ＩＳＯ４００相当の撮像感度は、ＩＳＯ１００相当の撮像感度の２段上である。このため、ＩＳＯ４００相当の撮像感度の場合のＥｖ値は、２を加算した１５となる。すなわち、Ｅｖ＝１５／Ｆ値５．６のときの適正露出のシャッタースピードは１／１０００秒になる。
【００１８】
なお、以下では説明を簡単にするために、撮像感度およびシャッタースピードが一定値、例えば、ＩＳＯ１００相当感度／シャッタースピード１／２５０秒に固定の場合について説明するため、露出条件である露出補正信号は、絞り部１１Ａの絞り値（Ｆ値）となる。
【００１９】
条件記憶部３２は、動画を構成する、それぞれの画像の露出条件である露出補正信号、すなわちＦ値、を記憶する。なお、条件記憶部３２は、全ての画像のＦ値を記憶してもよいし、所定の毎枚毎に記憶してもよいし、Ｆ値が所定値以上変化した画像についてのみ記憶してもよい。また、条件記憶部３２は、一時記録部２３Ａと同一の記憶部であってもよい。また、それぞれの画像に付属データとしてＦ値が付加されていてもよい。
【００２０】
補正部３３は、条件記憶部３２に記憶された、それぞれの画像の露出条件にもとづいて、一時記録部２３Ａに記憶されている、明るかった被写体の画像、すなわちＦ値が大きい画像をより明るく、暗かった被写体の画像、すなわちＦ値が小さい画像をより暗くする、明るさ補正処理を行う。
【００２１】
記録部２３は補正部３３が補正した補正画像から構成された動画を記憶する。表示部２８は撮影前および撮影中の画像、すなわちスルー画像を表示したり、撮影後の画像を表示したりする。また、カメラ１は、通信部２７を介して他の外部機器と接続が可能であり、例えばＴＶ等に画像を表示することができる。
【００２２】
次に、図２のフローチャートに従い、カメラ１の処理の流れについて説明する。
＜ステップＳ１０＞電源ＯＮ
カメラ１の電源がＯＮの場合（Ｙｅｓ）に、動作が開始し、ＯＦＦの場合（Ｎｏ）に動作が終了する。
【００２３】
＜ステップＳ１１＞システム初期設定
撮影動作モードが、動画モードの場合（Ｙｅｓ）には、Ｓ１３からの処理が行われる。動画モードでない場合（Ｎｏ）には、Ｓ１２から通常の静止画撮影処理等が行われる。
【００２４】
＜ステップＳ１３、Ｓ１４＞明るさ検出／露出条件設定
撮像部２１が撮像する被写体の画像がスルー画像として表示部２８に表示される。このとき、条件制御部３１は、検出部２２が検出した被写体の明るさに応じた露出補正信号を出力し、露出量がＣＣＤ２１Ａのダイナミックレンジ範囲に収まるように制御する。
【００２５】
露出条件の決定には、公知の測光方式（評価測光、中央部重点平均測光、スポット測光）を用いる。また人物が撮影される場合には顔検出システムを用い検出した顔部分が適正露出条件となるようにしてもよい。さらに、使用者がスルー画面が表示されているタッチパネルを指でタッチすることにより画面上の所定領域を測光するようにしてもよい。また、例えばスルー画面の２箇所を使用者が順にタッチすることにより、指定した２つの領域が適正露出条件となるようにしてもよい。
【００２６】
ここで、ＣＣＤ２１Ａのダイナミックレンジは、非常に狭く、例えば２Ｅｖ程度である。ダイナミックレンジを超えた露出量では、画像信号は飽和値となってしまう。ダイナミックレンジ未満の露出量では、画像信号は差が出なくなってしまう。また特定の色、例えば、赤色が中心の被写体を撮影すると、白色光の明るさ（強度）としては飽和値未満であっても、赤色光の強度が飽和値を超えてしまうことがある。このため、白色光検出の場合には、白色光飽和値よりも十分に小さい画像信号強度を適正露出（ダイナミックレンジ）の上限として設定することが好ましい。
【００２７】
条件制御部３１は、検出部２２が検出した被写体の明るさに応じたＦ値になるように絞り部１１Ａを制御する。ここで、図３（Ａ）〜図３（Ｄ）を用いて、水中に泳ぐ魚を水面上から動画撮影する場合の、条件制御部３１の動作について説明する。図３（Ａ）に示す時間Ｔ＝Ｔ０のとき、表示画面２８Ａに示すように、魚５０は明るい場所にいる。そして、図３（Ｂ）に示す時間Ｔ＝Ｔ１のとき、魚５０は暗い場所に移動を開始し、図３（Ｃ）に示す時間Ｔ＝Ｔ２のとき暗い場所にいる。すなわち、時間Ｔ＝Ｔ０〜Ｔ２の間に、魚５０が明るいところから暗いところに泳いでいった場合、図３（Ｄ）に示すように背景を含めた被写体の明るさ分布は大きく変化する。
【００２８】
ここで、図３（Ｅ）に示すように、条件制御部３１は、撮像信号強度がＣＣＤ２１Ａのダイナミックレンジ範囲に収まるように、被写体の明るさに応じて絞り部１１Ａを制御する。例えば、条件制御部３１は、露出条件を、時間Ｔ＝Ｔ０ではＦ値＝８、時間Ｔ＝Ｔ１ではＦ値＝５．６、時間Ｔ＝Ｔ２ではＦ値＝４と変える。すなわち、条件制御部３１は、明るい被写体では絞り部１１Ａの絞りを閉じて露出量を減らし、暗い被写体では絞りを開き露出量を増加する。
【００２９】
＜ステップＳ１５＞動画撮影開始
使用者により、操作部２６を介して動画撮影の開始が指示される（Ｙｅｓ）と、Ｓ１８からの動画撮影処理が開始する。それまでは（Ｎｏ）、Ｓ１３からのスルー画像の表示処理が繰り返し行われる。
【００３０】
＜ステップＳ１６＞明るさ検出／露出条件設定
Ｓ１３と同じ処理が行われる。
【００３１】
＜ステップＳ１７＞画像取得
撮像部２１が被写体を撮影し、画像信号を出力する。図３（Ｅ）に示したように、画像信号はＣＣＤ２１Ａのダイナミックレンジの範囲となるように、撮影されている。しかし明るさの変化は反映されていない。
【００３２】
＜ステップＳ１８＞画像／露出条件記憶
撮像部２１が出力した画像信号が、一時記録部２３Ａに記憶され、露出条件、すなわちＦ値が条件記憶部３２に記憶される。なお、一時記録部２３Ａに記憶する画像信号は、ＲＧＢの画素データのまま、すなわち、画像化しないで記憶することが好ましい。撮影後に色補正処理を行うためである。
【００３３】
＜ステップＳ１９＞撮影終了？
使用者による、撮影終了指示がある（Ｙｅｓ）まで、Ｓ１８〜Ｓ２０の処理が所定のフレームレート、例えば、６０フレーム／秒、で繰り返し行われる。すなわち、１秒間に６０枚の画像が撮影される。
【００３４】
＜ステップＳ２０＞明るさ補正処理
使用者により、操作部２６を介して動画撮影の終了が指示されると、補正部３３は、条件記憶部３２に記憶されている、それぞれの画像を撮影したときの露出条件、すなわちＦ値にもとづいて、一時記録部２３Ａに記憶されている画像の明るさ補正処理を行う。
【００３５】
例えば、明るさ補正処理では、最初に全画像のＦ値の平均値（Ｆ値平均値）が算出される。次に補正処理を行う画像のＦ値とＦ値平均値との差が算出される。算出されたＦ値差が正の画像は、動画全体の平均よりも明るかった被写体の画像であり、Ｆ値差が負の画像は、暗かった被写体の画像である。そして、Ｆ値差と比例関係にある補正量により明るさ補正処理が行われる。
【００３６】
なお、算出されたＦ値差が所定量未満の画像については明るさ処理を行わなくともよい。また例えば、算出されたＦ値差にもとづき、例えば動画を構成する複数の画像を９個のグループに分類し、９レベルの補正量の明るさ補正処理を行っても良い。この場合には、９レベルのうち、第１レベルはＦ値差が正で、かつ最も大きいグループで、第５レベルはＦ値差の絶対値が最も小さいグループで、第９レベルはＦ値差が負で、かつ最も大きいグループとなる。そして第１レベルの画像に対しては最も明るくなるように補正処理が行われ、第９レベルの画像に対しては最も暗くなるように補正処理が行われ、第５レベルの画像に対しては補正処理は行われない。
【００３７】
すなわち、明るさ補正処理はＦ値差と比例関係にある補正量にもとづき行われる。Ｆ値差と補正量との比例係数、言い換えれば補正処理の強さは使用者が設定可能であることが好ましい。なお、Ｆ値差と補正量との関係は１次関数、指数関数、対数関数、または、より複雑な所定の近似式関数等を用いることができる。
【００３８】
以上の説明のように、補正部３３は動画を構成する複数の画像の露出条件の平均値からの偏差をもとに、それぞれの画像の明るさを増減する明るさ補正処理を行う。
【００３９】
なお、補正部３３は、動画を構成する複数の画像の中で被写体が最も明るかったときの画像の明るさを、所定の最高明るさに補正することが好ましい。ここで、所定の最高明るさとは、例えば、補正後画像のダイナミックレンジの上限値である。すなわち、図３に示した魚を動画撮影した場合には、被写体の明るさは、図５（Ａ）に示すように単調に減少したが、図５（Ｂ）に示すように複雑に変化する場合もある。被写体の明るさが単調に減少する動画では、最初の画像の明るさを最高明るさに補正したのでよい。しかし、図５（Ｂ）に示す明るさ変化の動画において、最初の画像の明るさを最高明るさに補正してしまうと、後半のより明るい画像の明るさも、最初の画像と同じ最高明るさにしか補正できないために、被写体の明るさ変化を再現することができない。
【００４０】
これに対して、動画を構成する複数の画像の中で被写体が最も明るかったときの画像の明るさを、所定の最高明るさに補正することにより、被写体の明るさ変化を、より正確に再現することができる。すなわち、動画全体にわたって肉眼で見た感覚により近い動画が得られる。
なお、所定の最高明るさは、補正後画像のダイナミックレンジをもとに、例えば、上限値の９０％に設定してもよい。
【００４１】
明るさ補正処理は、ダイナミックレンジ拡大処理でもある。すなわち使用者が動画を鑑賞するＴＶ等のダイナミックレンジ（表示部ダイナミックレンジ）はＣＣＤ２１Ａのダイナミックレンジよりも広い。このため、図４（Ｂ）に示すように補正部３３は、表示部ダイナミックレンジ、言い換えれば、所定の補正後ダイナミックレンジの範囲で、明るい領域を、より明るく、暗い領域を、より暗くする補正処理を行うことにより、より肉眼で見た感覚に近い動画を生成する。またＣＣＤ２１Ａのダイナミックレンジ範囲で撮影された画像の色バランスは良いため、肉眼で見た感覚により近い色の動画が得られる。表示部ダイナミックレンジは表示部の種類等により異なる。このため、補正後ダイナミックレンジ、すなわち、明るさ補正処理後の最高明るさ／最低明るさは、複数の所定値から使用者の選択により決定されることが好ましい。
【００４２】
すなわち、図４（Ａ）に示す一時記録部２３Ａに記憶されている画像信号強度の画像に対して、補正部３３が、明るさ補正処理およびダイナミックレンジ拡大処理を行うことにより、図４（Ｂ）に示す補正画像信号強度の画像を得ることができる。
【００４３】
図４（Ｂ）に示す補正画像信号強度は、図３（Ｄ）に示した被写体の明るさ分布に近く、すなわち肉眼で見た感覚に近い。
【００４４】
＜ステップＳ２１＞補正動画記憶
補正部３３が明るさ補正処理した画像から構成された動画は、記録部２３に記録される。なお、記録前に公知のデータ圧縮処理を行っても良い。
【００４５】
以上の説明のように、本実施の形態の撮影装置であるカメラ１は、補正部３３が明るさ補正処理を行うために、肉眼で見た感覚により近い動画が得られる。また、カメラ１は動画全体にわたって肉眼で見た感覚により近い動画が得られる。
【００４６】
なお、説明を簡単にするために、露出条件である露出補正信号は、絞り部１１Ａの絞り値（Ｆ値）を例に説明したが、シャッタースピード、または、ＡＧＣ制御部３５が行う撮像信号増幅処理の増幅率等を用いてもよい。また撮像感度は画素加算処理により上げたり、画素分割処理により下げたりできるために、露出条件として、前記処理の制御値を用いてもよい。実際のカメラでは、前記の各種露光制御方法を組み合わせて露出条件を決定することが一般的であり、露出条件である露出補正信号は複数の露光制御方法の制御値をもとに算出される。
【００４７】
＜第２実施形態＞
次に、本発明の第２実施形態の撮影装置であるカメラ１Ａについて説明する。カメラ１Ａは、第１実施形態のカメラ１に類似しているため同じ構成要素には同じ符号を付し、説明は省略する。
【００４８】
図６に示すように、カメラ１Ａは、被写体指定手段である被写体指定部３６と、認識手段である認識部３４と、を具備する。使用者は被写体指定部３６により、表示部２８に表示された被写体の画像をもとに、タッチパネルを介して、指定した特定の被写体を指定することができる。そして認識部３４は、表示部２８に表示された被写体の画像から、特定の被写体の画像を認識する。
【００４９】
地平線に沈んでいく太陽を三脚に固定したカメラで撮影する場合のように、撮影される被写体が時間の経過につれ、画面の中を移動する場合がある。さらに太陽は背景の空に比べて非常に明るい。このような場合、図７に示すように、カメラ１Ａでは使用者が、撮影開始前にスルー画像の中から特定の被写体として太陽５１を、タッチパネル２９を指でタッチして指定することにより、条件制御部３１は、太陽が最適の露出状態となるように、動画撮影を開始する。
【００５０】
図８（Ａ）〜図８（Ｃ）に示すように、時間Ｔ＝Ｔ０〜Ｔ２の間に太陽５１は表示画面の上部から下部へと移動し、太陽５１の明るさだけでなく背景の空の明るさも暗くなっていく。すなわち、図８（Ｄ）に示すように、大きく明るさが変化する。また背景に比べて太陽の明るさが非常に明るい。
【００５１】
カメラ１Ａでは、認識部３４は、撮影画像中の太陽５１が撮影された部分を検出し、条件制御部３１は、常に太陽５１が最適の露出状態となるように、制御する。すなわち、図８（Ｅ）に示すように、条件制御部３１が太陽５１の明るさにもとづいたＦ値による制御を行うことにより、画像中の太陽の画像信号強度はＣＣＤ２１Ａのダイナミックレンジ範囲となる。しかし、明るさの変化が小さく、その結果、色も肉眼で見た感覚とは異なる。
【００５２】
しかし、図９に示すように、カメラ１Ａでは、撮影後に、第１実施形態のカメラ１と同様に補正部３３が、表示部ダイナミックレンジ範囲になるように、明るさ補正処理を行うため、太陽（特定被写体）の明るさの変化および色変化等が、肉眼で見た感覚に近い動画を得ることができる。
【００５３】
なお、被写体指定部３６は、タッチパネル２９を介して使用者が指定した領域の被写体画像の特有の形状、色、または輝度等を判定し、順次得られる画像上での類似パターンの位置が、どのように移動したかを検出する。
【００５４】
また、撮影中に被写体指定部３６により指定された特定の被写体が画面からなくなった場合、例えば太陽が地平線下に没した場合、カメラ１は使用者に告知し撮影継続／中止の判断を求める。
【００５５】
以上の説明のように、本実施形態のカメラ１Ａは、カメラ１が有する効果に加えて、画面中の小さな部分の特定被写体に注目した使用者、の意図に適合した動画を撮影できる。
【００５６】
なお、日没風景の撮影では、画像信号は赤色光だけが強度が大きい。このため、白色光飽和値をもとに所定値だけ低下して設定したＣＣＤ２１のダイナミックレンジ上限値未満であっても、赤色画像信号はＣＣＤ２１の飽和値を超えてしまうことがある。
【００５７】
このため、日没撮影を行う場合には、白色光ではなく、赤色光、緑色光、および青色光の明るさを別々に検出する検出部を有するカメラが好ましい。この場合、条件制御部３１は、３色の光の強度がいずれも、それぞれの飽和値未満となるようにＦ値を制御する。このため、特定の色強度のみが強い場合であっても、ＣＣＤ２１Ａのダイナミックレンジ範囲に制御できる。
【００５８】
本発明は上述した実施形態に限定されるものではなく、本発明の要旨を変えない範囲において、種々の変更、改変等ができる。
【符号の説明】
【００５９】
１、１Ａ…カメラ、１１…レンズ、１１Ａ…絞り部、１２…操作部、１３…駆動部、１４…位置検出部、１５…制御部、１６…通信部、２０…ボディ、２１…撮像部、２１Ｂ…撮像信号処理部、２２…検出部、２３…記憶部、２３…記録部、２３Ａ…一時記憶部、２４…通信部、２５…時計、２６…操作部、２７…通信部、２８…表示部、２８Ａ…表示画面、２９…タッチパネル、３０…制御部、３１…条件制御部、３２…条件記憶部、３３…補正部、３４…認識部、３５…制御部、３６…被写体指定部、５０…魚、５１…太陽
【図１】
2011249871.tif 000003
【図２】
2011249871.tif 000004
【図４】
2011249871.tif 000005
【図５】
2011249871.tif 000006
【図６】
2011249871.tif 000007
【図７】
2011249871.tif 000008
【図９】
2011249871.tif 000009
【図３】
2011249871.tif 000010
【図８】
2011249871.tif 000011